(57)【要約】【解決手段】会場の前面またはその付近に位置する表示スクリーンに画像が投影されるその会場のための光吸収構成が、会場の天井、側壁、または床のうち１以上における、１つ以上の前部に配備された光吸収構造を含み得る。光吸収構造は、表示スクリーンから直接反射される光線の一部を受け取るように構成された第１のタイプの光反射面と前記第１のタイプの光反射面から反射される光線を受け取るように構成された第２のタイプの光反射面とにより、少なくとも部分的に形成される溝を含む。
2017532075.tif 000002
【特許請求の範囲】
【請求項１】
表示スクリーンに画像を投影する会場のための光吸収構成であって、
前記会場の天井、側壁、または床のうち１以上における、１つ以上の部分に配備された光吸収構造を含み、
前記光吸収構造は、前記表示スクリーンから直接反射される光線の一部を受け取るように構成された第１のタイプの光反射面と前記第１のタイプの光反射面から反射される光線を受け取るように構成された第２のタイプの光反射面とにより、少なくとも部分的に形成される溝を含んでいる、
構成。
【請求項２】
前記光吸収構造は剛性である、請求項１に記載の光吸収構成。
【請求項３】
前記第１のタイプの光反射面は前記第２のタイプの光反射面と１つ以上の鋭角を成す、請求項１に記載の光吸収構成。
【請求項４】
前記第１のタイプの光反射面と前記第２のタイプの光反射面とが形成する前記溝群中のある溝は、前記溝中において２回以上の内部反射で、前記第１のタイプの光反射面で受け取る入射光をトラップするように構成される、請求項１に記載の光吸収構成。
【請求項５】
前記第１のタイプの光反射面と前記第２のタイプの光反射面とが形成する前記溝群中のある溝の深さは、前記溝の幅に比例する、請求項１に記載の光吸収構成。
【請求項６】
前記第１のタイプの光反射面または前記第２のタイプの光反射面のうち少なくとも１つは、３０％、２０％、１０％、または５％のうち１つを下回る光反射率の値を有する、請求項１に記載の光吸収構成。
【請求項７】
前記第１のタイプの光反射面または前記第２のタイプの光反射面のうち少なくとも１つは光沢のある黒い塗料で覆われている、請求項１に記載の光吸収構成。
【請求項８】
前記第１のタイプの光反射面または前記第２のタイプの光反射面のうち少なくとも１つは鏡面反射性である、請求項１に記載の光吸収構成。
【請求項９】
前記第１のタイプの光反射面または前記第２のタイプの光反射面のうち少なくとも１つは拡散反射性である、請求項１に記載の光吸収構成。
【請求項１０】
前記第１のタイプの光反射面は前記表示スクリーンに平行である、請求項１に記載の光吸収構成。
【請求項１１】
前記第１のタイプの光反射面は前記表示スクリーンと１つ以上の鋭角を成す、請求項１に記載の光吸収構成。
【請求項１２】
前記光吸収構造は、前記会場の前面、後面、前記天井、前記側壁、前記床のうちの前記１以上ではない、１つ以上の他の部分に配備される、請求項１に記載の光吸収構成。
【請求項１３】
前記表示スクリーン上へと投影される前記画像はハイダイナミックレンジ画像である、請求項１に記載の光吸収構成。
【請求項１４】
前記会場は、実質的に閉じた内部空間を備える、請求項１に記載の光吸収構成。
【請求項１５】
前記第１のタイプの光反射面は鉛直であり、かつ前記第２のタイプの光反射面は、前記溝中において２回以上の内部反射で、前記第１のタイプの光反射面で受け取る入射光をトラップするように構成される、請求項１に記載の光吸収構成。
【請求項１６】
前記表示スクリーンは前記会場の前面またはその付近に位置し、かつ、前記会場の前記天井、前記側壁、または前記床のうち前記１以上における前記１つ以上の部分は、前記会場の前記天井、前記側壁、または前記床のうち前記１以上における１つ以上の前部を含む、請求項１に記載の光吸収構成。
【請求項１７】
前記会場は屋内の視聴環境である、請求項１に記載の光吸収構成。
【請求項１８】
前記会場は、劇場、公会堂、コンサート、または公園のうち１つである、請求項１に記載の光吸収構成。
【請求項１９】
前記会場は屋外の視聴環境である、請求項１に記載の光吸収構成。
【発明の詳細な説明】
【技術分野】
【０００１】
関連出願への相互参照
本願は、２０１４年８月５日付け出願の米国仮特許出願第６２／０３３，２８１号に基づく優先権を主張するものであり、この出願の開示内容の全てを本願に援用する。
【０００２】
技術
本発明は、画像を投影するスクリーンを備えた会場、劇場、公会堂などにおけるコントラスト比の改善に関する。
【背景技術】
【０００３】
非常に高いコントラスト比、高い最大輝度レベル、および低い最小輝度レベルを有する画像を表示するための、新しい劇場、公会堂などを出願人が開発中である。閉じた視聴環境における表示画像の最大コントラスト比を増大しようとする多くの取り組みでは、そのような視聴環境の内部空間における周囲光に注意が向けられてきた。
【０００４】
周囲光を制御し最小化することが必要である一方で、周囲光のみに対処することでは、表示画像の高いコントラスト比を達成できない。完全な暗室中でさえ、表示スクリーンから拡散および反射された無視できない量の光が、閉じた視聴環境における内表面のあいだの無数の光路中を往来し、最後には表示スクリーンに到達することがなお可能であり、結果的に、表示スクリーン上に表示された画像の最大コントラスト比を低減してしまい得る。
【０００５】
本節に記載されている手法は、探求し得る手法ではあるが、必ずしもこれまでに着想または探求されてきた手法ではない。従って、別途示唆のない限り、本節に記載された手法のいずれも、本節に記載されているという理由だけで従来技術としての適格性を有すると考えるべきではない。同様に、別途示唆のない限り、１以上の手法に関して特定される問題が、本節に基づいて、いずれかの先行技術において認識されたことがあると考えるべきではない。
【図面の簡単な説明】
【０００６】
本発明を、限定のためではなく例示を目的として、添付図面の各図により示す。これらの図において、類似の要素には同種の参照符号を付している。
【図１Ａ】図１Ａは、劇場セッティング例を例示する。
【図１Ｂ】図１Ｂは、劇場セッティング例を例示する。
【図１Ｃ】図１Ｃは、光吸収構成例を例示する。
【図１Ｄ】図１Ｄは、光吸収構成例を例示する。
【図２】図２は、光吸収構造例を例示する。
【図３Ａ】図３Ａは、光吸収構造例を例示する。
【図３Ｂ】図３Ｂは、図３Ａの光吸収構造におけるレイトレーシング例を例示する。
【図４Ａ】図４Ａは、光吸収構造例を例示する。
【図４Ｂ】図４Ｂは、図４Ａの光吸収構造におけるレイトレーシング例を例示する。
【発明を実施するための形態】
【０００７】
実施形態例の説明
会場、劇場、公会堂などにおけるコントラスト比の改善に関する実施形態例が、本明細書に記載される。以下の説明においては、便宜上、本発明を完全に理解できるように、多数の詳細事項を説明する。ただし、これらの詳細事項抜きでも本発明を実施可能であることは明白であろう。他方、本発明の説明を不必要に不明瞭にしないように、周知の構造およびデバイスの細かな詳細までは説明しない。
【０００８】
実施形態例が、以下の骨子に沿って、本明細書に記載される。
１．一般的概要
２．劇場セッティング
３．光吸収構造
４．光吸収構成
５．実施形態例
６．均等物、拡張物、代替物、その他
【０００９】
１．一般的概要
本概要は、本発明の一実施形態例が有するいくつかの側面につき、基本的説明を提示する。本概要は、実施形態例が有する諸側面についての広範かつ網羅的な要約ではない、ということに留意すべきである。さらに留意すべきは、本概要は、実施形態例が有する任意の特に重要な側面や要素を示すものとして理解されるようには意図されておらず、また、その特定の実施形態例のあるいは広く本発明の何らの範囲を、規程するものとして理解されるようにも意図されていない。本概要は、単に、実施形態例に関するいくつかの概念を凝縮された簡素な形式で提示するものであって、以下に続く、諸実施形態例についてのより詳細な説明に対する単なる概念的な前置きとして理解されるべきである。
【００１０】
本明細書に記載の技術は、表示スクリーンから反射された光が表示スクリーンへと反射し戻されるのを防ぐことのできる、会場における光吸収構成を提供する。本明細書で用いるとき、スクリーンあるいは表示スクリーンとは、反射性の画像の描画面を指し得る。スクリーンの例には、帆布、画像の描画用の空間レイヤ、画像の描画用の空間領域、壁覆い、塗装面、液体、蒸気、気体、浮遊粒子、皮膚などのいずれかが含まれるが、これらのみに限定はされない。あくまでも例示目的だけとして、本明細書に記載の表示スクリーンは劇場の前面に配置し得る。しかし、本発明の目的において、表示スクリーンは観察者または視聴者の環境中の任意の場所に配置されてよい。例えば、さまざまな実施形態において、本明細書に記載の表示スクリーンを、視聴環境中の天井、床、あらゆる壁などのいずれかに配置できる。さらに、表示スクリーンが、観察者または視聴者の観察球の、平らなまたは曲がったなどの任意部分を覆っていてもよい。表示スクリーンの範囲は連続的であり得るが、必ずしもそうでなくともよい。したがって、表示スクリーンは単一の連続的な表示部であってもよいし、あるいは、例えば１つ以上の投影デバイスにあわせて、複数のばらばらの表示部分を含んでいてもよい。複数の連続的または不連続的なスクリーンを本明細書に記載の会場において使用することもできる。限定的でない一例として、会場の前壁にスクリーンがあり、かつ、会場の他の壁や側面に追加的なスクリーンがある状況が挙げられる。会場の例には、劇場や公会堂などの屋内環境だけではなく、コンサートやテーマパークなどの屋外環境もまた含まれる。特定の屋外環境などのいくつかの環境において、表示スクリーンは、光吸収構成の適用を受けるべき物理的構造（天井、床、壁などを備える）により完全に囲まれていてもよいし、いなくてもよい。例えば、ある屋外会場の例において、表示スクリーンをステージ上に配置する一方で、本明細書に記載する技術における光吸収／反射構造を、表示スクリーンの周囲または付近、観客席の周囲または付近、会場の床上、観客や表示スクリーンの上方や背後などに構成できる。本明細書に記載の会場は、例えばさまざまなテーマパークに設置される、さまざまな２Ｄ／３Ｄ、４Ｄおよびシミュレータタイプの乗り物をもまた含み得る。追加的、選択的、または代替的に、本明細書に記載の技術を、搭乗者が高品質・高コントラストの画像を視聴することの可能な、他のタイプの乗り物を備えた会場に配備できる。同様に、本明細書に記載する技術における光吸収／反射構造を、テーマパークで水面上やウォータースクリーンの正面などに浮かべることもできる。本明細書で用いるとき、「劇場」という用語は、光投影デバイスからのパターン化された光が表示スクリーン上へと投影する画像を観客が視聴できる、閉じた、または実質的に閉じた空間（例えば、会場、劇場、公会堂など）を指すことがある。いくつかの実施形態において、表示スクリーンは、劇場の前面（側面）またはその付近に位置し得る。
【００１１】
光吸収構成は、劇場の内部空間における表面部（例えば、壁、天井、床、後面、など）に配備される光吸収構造を含む。これらの表面部には、劇場の壁、天井、または床の前部が含まれるが、これらに限定はされない。本明細書で用いるとき、前部とは、表示スクリーン正面で劇場の最も近い部分に位置する表面部を指す。劇場の壁、天井、または床の前部は表示スクリーンユニットに対して比較的大きな立体角を有するので、表示スクリーンへと戻る光反射を低減するために、いくつかの実施形態において、他の場所より多くの光吸収構造を劇場の壁、天井、または床の前部（例えば、最初の２５％、最初の３０％、最初の４０％など）に配備できる。
【００１２】
光吸収性の表面構造は、対称な角錐、非対称な角錐、台形、平面セグメント、台形近似その他の曲面セグメント、などの多様なデザインのうち１つであり得る。光吸収性の表面構造を溝で構築し、かつこれを、表示スクリーンから受け取った光を最低限の数（例えば２、３、４、５＋など）の内部反射（溝の内部での）で、溝内にトラップさせるように、配置し得る。いくつかの実施形態において、溝の深さは、溝の幅または開口に関して（例えば、その２倍以上など）選択することができる。
【００１３】
いくつかの実施形態において、光吸収性の表面構造は、光反射を得るために鏡面のように磨き上げられている。光を吸収するために、光吸収性の表面構造の光反射率を、１５％、１０％、５％などのある特定の値未満に制限し得る。このようにして、例えば、単一回の反射につき１０％の光反射率を有する光吸収性の表面構造が、光吸収性の表面構造の溝内部における三（３）回以上の内部反射で、０．１％未満の光反射率を生むことができる。いくつかの実施形態では、溝を形成する側面の異なる部分が、同様な磨きの程度を有し得る。他のいくつかの実施形態では、溝を形成する側面の異なる部分が、さまざまな磨きの程度を有し得る。例えば、表示スクリーンからの光を受け取るための溝の開口またはその付近に存在するある側面の部分が、この側面のうち溝の開口からは離れた他の部分よりも相対的により磨き上げられていてよい。いくつかの実施形態においては、本明細書に記載する光吸収性の表面構造が比較的磨き上げられているので、劇場環境においてそのような構造を洗ったり、これに掃除機をかけたりすることは比較的たやすい。
【００１４】
光吸収性の表面構造中の溝について、さまざまな寸法を使用できる。例えば、溝のサイズは、可視光の波長（例えば、０．７マイクロメートルなど）よりもはるかに大きく（例えば、１０＋マイクロメートルなど）なるように、数十センチメートルまで設定可能である。
【００１５】
いくつかの実施形態において、光吸収構造は、１つ、２つ、またはそれ以上のタイプの側面（鉛直面、斜面、曲面など）により形成される溝のパターンを含む。隣り合う側面が、表示スクリーンからの視線上にあるエッジを形成している。光反射を低減するために、これらのエッジを例えば１：１０、１：２０などの比率で、溝のサイズまたはピッチに比べて相対的に尖らせかつ小さくできる。いくつかの実施形態においては、これらのエッジを、洗浄のための頑丈性を有するぐらい十分に大きくできる。
【００１６】
本明細書中に記載の好ましい実施形態ならびに一般的な原則や特徴に対する様々な変更は、当該分野の当業者にとっては容易に明らかであろう。よって、本開示は提示された実施形態に限定されるように意図されているのではなく、本明細書中に記載の原則および特徴に合致する最も広い範囲を与えられるべきである。
【００１７】
２．劇場セッティング
図１Ａは、観客が内部エリア１０２に座って反射性スクリーン１０４上の投影画像を視聴し得る、劇場の例１００の平面図を表す。図１Ｂは、劇場（１００）の等角図の例を表す。画像は、１つ以上の光投影デバイス１０６が放つ光のパターンを用いて、反射性スクリーン（１０４）上へと投影されることができる。
【００１８】
いくつかの実施形態において劇場（１００）は、反射性スクリーン（１０４）上に、ハイダイナミックレンジ投影画像を提示するために使用される。反射性スクリーン（１０４）は、観客に向けてだけでなく、壁、天井、床、観客の着衣など、劇場（１００）の他部分にも向けて比較的強い光を拡散反射する。
【００１９】
周囲光（例えば、光投影デバイス（１０６）以外の光源から発生するなどの）や反射性スクリーン（１０４）からの反射光などを含むがこれらに限定はされない、劇場（１００）中の光が、側壁１０８、天井１１０、床１１２、後壁１１４、および前壁１１６で囲まれた劇場（１００）の内部における多数の異なる光路に沿って、往来し得る。画像の描画（ｒｅｎｄｅｒｉｎｇ）のために初めて（例えば、初回通過時などに）光源（１０６）から反射性スクリーン（１０４）へと送られる劇場（１００）中の光の部分は、本明細書に記載の技術により影響を受けたり低減されたりしない。同様に、画像の描画のために初めて（例えば、初回通過時などに）反射性スクリーン（１０４）から観客（例えば、内部エリア１０２中などの）へと反射される劇場（１００）中の光の部分は、本明細書に記載の技術により影響を受けたり低減されたりしない。しかし、画像の描画のために初めて（例えば、初回通過時などに）光源（１０６）から反射性スクリーン（１０４）へと送られたのではない、劇場（１００）中の光の他の部分（例えば、周囲光など）は、反射性スクリーン（１０４）上へと入射し、画像の描画のために初めて（例えば、初回通過時などに）光源（１０６）から反射性スクリーン（１０４）へと送られた劇場（１００）中の光の部分と混ざり合って、投影スクリーン（１０４）上で達成可能な最暗レベルを引き上げ、結果として、投影スクリーン（１０４）上の投影／描画画像の最大コントラスト比が低減され得る。
【００２０】
劇場、公会堂などのレイトレーシング解析が明らかにするところによれば、投影画像の最大コントラスト比は、側壁（１０８）、天井（１１０）などの内表面からの反射（例えば、上記の反射光など）に大きく影響される。周囲光（例えば、光投影デバイス（１０６）以外の光源から発生するなどの）を制御しても、比較的高いコントラスト比を保証するのに十分ではない。
【００２１】
本明細書に記載の技術を用いることにより、画像の描画の目的で観客へと向けられたのではない反射性スクリーン（１０４）からの反射光を低減／吸収することによって、投影画像の最大コントラスト比を増大することができる。これらの技術によって低減される反射性スクリーン（１０４）からの反射光は、画像の描画のために初めて（例えば、初回通過時などに）光源（１０６）から反射性スクリーン（１０４）へと向かう光ではないことに留意されたい。いくつかの実施形態において、本明細書に記載の技術を、画像の描画のために初めて（例えば、初回通過時などに）光源（１０６）から反射性スクリーン（１０４）へと向かう光の伝送および／または画像の描画のために初めて（例えば、初回通過時などに）反射性スクリーン（１０４）から観客へと向かう反射光の伝送を妨げないようなやり方で、適用することが可能である。
【００２２】
いくつかの実施形態において，反射光を低減するために、劇場（例えば、図１Ａおよび図１Ｂの１００など）全体にわたって、暗い表面が使用される。４％の平均画像レベル（ＡＰＬ）について５０００：１程度のコントラスト比を、理想的な（例えば、反射率０．５％、反射率５％など）平坦な黒体面を用いて達成できる。コントラスト比は、観客の衣服からの白シャツ効果、曲がった表示スクリーンなどを含むさまざまな要因により、ある程度低下し得る。レイトレーシング解析が示すところによれば、劇場（例えば、図１Ａおよび図１Ｂの１００など）においてはこれらの効果は、表示スクリーン（例えば、図１Ａおよび図１Ｂの１０４など）に非常に近い表面からの反射光に比べると相対的に小さい。この解析が示すところによれば、図１Ａおよび図１Ｂの１００などの劇場例において、コントラストの損失を引き起こす反射光の約７０％が、劇場（１００）の長さ（前後間の）のうち、表示スクリーン（１０４）に最も近い２５％以内に位置した壁（１０８）、床（１１２）、天井（１１０）に由来する。よって、もし劇場（１００）の前部（例えば、２５％など）に由来する反射光のこの部分（例えば、７０％など）を完全に除去できれば、コントラスト比を大きな倍率（例えば、３など）で改善できる。
【００２３】
いくつかの実施形態において、壁（１０８）、床（１１２）、および天井（１１０）のうちいくつかまたは全て（例えば、表示スクリーン（１０４）に最も近い劇場（１００）の前部など）は、光沢のある黒い塗料で塗装され得る。このタイプの塗料は実質的に鏡面反射するので、光沢のある黒い塗料を用いた壁（１０８）、床（１１２）、および天井（１１０）に入射する表示スクリーン（１０４）からの光線が、劇場（１００）のさらに内部へと表示スクリーン（１０４）から離れて跳ね返ってゆき、それと同時に光線のエネルギーのほとんど（例えば、９０％、９５％など）を失う。２回以上の損失性の反射が、これらの光線が表示スクリーン（１０４）へと反射し戻され得るよりも前に起きる。すると、これらの光線のエネルギーは、その２回以上の反射における反射率の積に従って低減される。プラスチック、カーボン、木材、ナノチューブなど、光沢のある黒い塗料以外のさまざまな光吸収材料もまた、壁（１０８）、床（１１２）、および天井（１１０）のうちいくつかまたは全て（例えば、表示スクリーン（１０４）に最も近い劇場（１００）の前部など）に使用できる。
【００２４】
しかし、表示スクリーン上に描画された投影画像のコントラスト比が向上する一方で、表示スクリーンのぼやけた画像が壁（１０８）に映って見えるようになるかも知れない。さらに、壁（１０８）および天井（１１０）からの光反射が、観客に届き得る。それゆえ、壁（１０８）および天井（１１０）は、観客の視点からは気が散るほどに照らされているように見えるかも知れない。
【００２５】
いくつかの実施形態において、光沢のある黒い塗料を、表示スクリーン（１０４）に非常に近い（例えば、同一平面またはその近傍などの）壁（１０８）、天井（１１０）、および床（１１２）の部分に用いることができる。例えば、決してこれらの表面からの光反射が観客に到達して表示スクリーン（１０４）のぼやけた画像を形成することがない劇場エリアにおいて、光沢のある黒い塗料を適用できる。プラスチック、カーボン、木材、ナノチューブなど、光沢のある黒い塗料以外のさまざまな光吸収材料もまた、表示スクリーン（１０４）に非常に近い（例えば、同一平面またはその近傍などの）壁（１０８）、天井（１１０）、および床（１１２）の部分に使用できる。
【００２６】
いくつかの実施形態において、劇場（１００）の前部（例えば、最初の四分の一、表示スクリーン（１０４）に最も近い前部の四分の一など）が、表示スクリーン（１０４）から見たときに光反射率が非常に低い光吸収性の材料、特徴、構造などを有する表面を含むことができる。このことは、スクリーンにおけるコントラストを増大するための重要な条件である。
【００２７】
３．光吸収構造
いくつかの実施形態において、劇場（１００）中のいくつかまたは全ての表面（例えば、前部の壁、天井、床など、その他）が、図２に示す構造２００を含むことができる。広範な寸法、サイズなどのうち１つ以上を、構造（２００）に使用し得る。構造（２００）の側面２０２の形と滑らかさは、入射光を吸収するように特に選択できる。いくつかの実施形態において、側面（２０２）のすべてが、構造（２００）の基部２１０に対して斜めあるいは傾いている。いくつかの実施形態において、構造（２００）の側面（２０２）は、非常に鏡面反射性が高い（鏡状である）。構造（２００）を、側面（２０２）が形成する溝２１２（側面２０２のうち隣り合う側面のあいだに形成される空隙または光学的空洞）によって構成できる。側面（２０２）が合わさるエッジ２１４は、構造（２００）中の溝（２１２）のピッチ２０６（またはサイズ、あるいは幅）に比べて相対的に鋭利であり得る。ピッチ（２０６）は、わずか１０ミクロンと小さくてもよく、数フィート、数インチなどまでスケールアップされてもよい。溝の深さ２０８は、溝（２１２）のサイズに匹敵または比例し得る。いくつかの実施形態において、溝（２１２）の深さ（２０８）は、溝（２１２）のピッチ（２０６）の２倍、３倍などである。
【００２８】
この構造（２００）を、あらゆる角度からの吸収性を有するように設計できる。いくつかの実施形態において、溝（２１２）の深さ（２０８）は、表示スクリーン（１０４）と平行に（一方の側壁から他方の側壁へと劇場を横切って）構成される。溝（２１２）の底は鋭い遷移を用いていてもよいが、必ずしもそうでなくともよい。追加的、選択的、または代替的に、角度２１６には２２．５度などのある特定の値を用い得るが、必ずしもそうでなくともよい。溝は対称的であり得るが、必ずしもそうでなくともよい。劇場（１００）において、構造（２００）中の溝が対称であることにより、表示スクリーン（１０４）へと反射し戻される光を、非対称な構造よりも多く生み出し得る。
【００２９】
図３Ａは、劇場（１００）の表面構造例３００を例示する。広範な寸法、サイズなどのうち１つ以上を、構造（３００）に用い得る。構造（３００）の鉛直面３０２（基部３１０に対し垂直あるいは鉛直な）および傾斜面３０４（基部３１０に対し斜めあるいは傾いている）の形と滑らかさは、入射光を吸収するように特に選択できる。いくつかの実施形態において、構造（３００）の鉛直面（３０２）および傾斜面（３０４）は、非常に鏡面反射性が高い（鏡状である）。構造（３００）を、鉛直面（３０２）と傾斜面（３０４）とが形成する溝３１２（隣り合う側面のあいだに形成される空隙または光学的空洞）で構成できる。鉛直面（３０２）と傾斜面（３０４）とが合わさるエッジ３１４は、構造（３００）中の溝（３１２）のピッチ３０６（またはサイズ、あるいは幅）に比べて相対的に鋭利であり得る。ピッチ（３０６）は、わずか１０ミクロンと小さくてもよく、数フィート、数インチなどまでスケールアップされてもよい。溝（３１２）の深さ３０８は、溝のピッチ（３０６）に匹敵または比例し得る。いくつかの実施形態において、溝（３１２）の深さ（３０８）は溝（３１２）のピッチ（３０６）の２倍、３倍などである。
【００３０】
いくつかの実施形態において、表示スクリーン（例えば、図１Ａおよび図１Ｂの１０４など）は、この構造（３００）の左に位置する。図３Ｂは、そのような表示スクリーン（例えば、図１Ａおよび図１Ｂの１０４など）から来る光についての、構造（３００）におけるレイトレーシング例を例示する。図示されているように、構造（３００）は、表示スクリーン（１０４）から鉛直面（３０２）に入射する光線に対し、これらの光線の何らの部分も表示スクリーン（１０４）上へと反射し戻されないうちに、最低限の回数（例えば、２、３など）の反射を経させるように構成できる。
【００３１】
いくつかの別の実施形態において、表示スクリーン（１０４）は、この構造（３００）の右（左ではなくて）に位置する。構造（３００）は、表示スクリーン（１０４）から傾斜面（３０４）に入射する光線に対し、これらの光線の何らの部分も表示スクリーン（１０４）上へと反射し戻されないうちに、最低限の回数（例えば、２、３など）の反射を経させるように構成できる。
【００３２】
この構造（３００）は、あらゆる角度からの吸収性を有するように設計できる。しかし、溝がスクリーンと平行に走るときの角度からのほうが、そうでない場合よりも吸収性が高くなり得る。いくつかの実施形態において、溝（３１２）の深さ（３０８）は、表示スクリーン（１０４）と平行に（一方の側壁から他方の側壁へと劇場を横切って）構成される。溝（３１２）の底は鋭い遷移を用いていてもよいが、必ずしもそうでなくともよい。
【００３３】
あくまでも例示の目的だけのために述べるが、構造（３００）が１０％の反射率を有するならば、スクリーン方向からの最大反射率はわずか０．１％であり得る。これは、入射光の１〜５％程度（入射角度による）を表示スクリーン（３００）へと反射し戻し得る平坦で光沢のある黒い塗料よりも、はるかに優れている。
【００３４】
図４Ａは、劇場（１００）のもう一つの表面構造例４００を表す。広範な寸法、サイズなどのうち１つ以上を、構造（４００）に使用できる。構造（４００）の第１の鉛直面４０２、第２の鉛直面４１８（基部４１０に対し垂直あるいは鉛直な）、および傾斜面４０４（基部４１０に対し斜めあるいは傾いている）の形と滑らかさは、入射光を吸収するように特に選択できる。いくつかの実施形態において、構造（４００）の鉛直面（４０２および４１８）および傾斜面（４０４）は、非常に鏡面反射性が高い（鏡状である）。構造（４００）を、鉛直面（４０２および４１８）と傾斜面（４０４）とが形成する溝４１２（隣り合う側面のあいだに形成される空隙または光学的空洞）で構成できる。第１の鉛直面（４０２）と傾斜面（４０４）とが合わさるエッジ４１４は、構造（４００）中の溝（４１２）のピッチ４０６（またはサイズ、あるいは幅）に比べて相対的に鋭利であり得る。ピッチ（４０６）は、わずか数ミクロンまたは数サブマイクロと小さくてもよく、数フィート、数インチなどまでスケールアップされてもよい。溝（４１２）の深さ４０８は、溝のピッチ（４０６）に匹敵または比例し得る。いくつかの実施形態において、溝（４１２）の深さ（４０８）は、溝（４１２）のピッチ（４０６）の２倍、３倍などである。いくつかの実施形態において、鉛直面（４０２および４１８）と傾斜面（４０４）とが形成する台形の高さ４２０を、溝（４１２）のピッチ（４０６）に比べて相対的に薄くできる。いくつかの実施形態において、深さ（４０８）が大きければ大きいほど、台形の高さ（４２０）はそれだけより薄くなり得る。例えば、台形の高さ（４２０）は、溝（４１２）の深さ（４０８）に反比例し得る。
【００３５】
いくつかの実施形態において、表示スクリーン（例えば、図１Ａおよび図１Ｂの１０４など）は、この構造（４００）の左に位置する。図４Ｂは、そのような表示スクリーン（例えば、図１Ａおよび図１Ｂの１０４など）から来る光についての、構造（４００）におけるレイトレーシング例を例示する。図示されているように、構造（４００）は、表示スクリーン（１０４）から第１の鉛直面（４０２）に入射する光線に対し、これらの光線の何らの部分も表示スクリーン（１０４）上へと反射し戻されないうちに、最低限の回数（例えば、２、３など）の反射を経させるように構成できる。
【００３６】
いくつかの別の実施形態において、表示スクリーン（１０４）は、この構造（４００）の右（左ではなく）に位置する。構造（４００）は、表示スクリーン（１０４）から傾斜面（４０４）に入射する光線ならびに第２の鉛直面（４１８）に入射する光線に対してさえ、これらの光線の何らの部分も表示スクリーン（１０４）上へと反射し戻されないうちに、最低限の回数（例えば、２、３など）の反射を経させるように構成できる。
【００３７】
構造（４００）は、構造（３００）と比べて相対的に大きな空隙または光学的空洞を含み、入射光を効果的に吸収するように構成されており、かつ、例えば射出成型、押出し成型などを用いて製造することが幾分、より容易でもある。構造を、光沢のある黒い塗料、プラスチック、カーボン、木材、ナノチューブなど、さまざまな光吸収材料のうち１つ以上を用いて作成し得る。
【００３８】
４．光吸収構成
いくつかの実施形態において、本明細書に記載の光吸収構造を、パネル、サブパネル、タイルなどで実装し得る。これらのパネル、サブパネル、タイルなどを、劇場（例えば、図１Ａおよび図１Ｂの１００など）の最初の四分の一、最初の三分の一、最初の半分、前部など（図１Ａおよび図１Ｂの１０４などの表示スクリーンを基準として）で、可能なかぎり多くの場所に配置できる。
【００３９】
ある例において、本明細書に記載の構造設計のうちいずれかを用いて作成するパネル、サブパネル、タイルなどを、さまざまな劇場（例えば、図１Ａおよび図１Ｂの１００など）における吊り天井にフィットする、平らなまたは曲がった形状に作り込んでもよい。そのような構造を吊り天井に設置することにより、表示スクリーンへと反射し戻されるかも知れない反射光の大部分を（例えば、天井面が表示スクリーンの近くの反射面の約１／３を占める状況下で約１／３だけなど）低減できる。
【００４０】
いくつかの実施形態において、ある特定のＡＰＬ（例えば、４％など）についてある特定の最大コントラスト比（例えば、５０００：１など）を達成するために、黒い布を用いて劇場の壁、天井、および床のいくらかまたは全ての部分（例えば、後部、本明細書に記載の構造で覆われていない部分など）を覆うことができる。これらの光吸収体を吊り天井に増設／配備することにより、最大コントラスト比を大幅に改善（例えば、７５００：１など）できる。
【００４１】
ある例において、本明細書に記載の構造設計のうちいずれかを用いて作成したパネル、サブパネル、タイルなどを、さまざまな劇場（例えば、図１Ａおよび図１Ｂの１００など）中の側壁にフィットする平らなまたは曲がった形状に作り込んでもよい。そのような構造を側壁に設置することにより、表示スクリーンへと反射し戻されるかも知れない反射光の大部分を（例えば、側壁面が表示スクリーンの近くの反射面の約１／３を占める状況下で約１／３だけなど）低減できる。結果として、本明細書に記載の構造を側壁に追加することにより、最大コントラスト比をさらに増大（例えば、約１０，０００：１になど）できる。
【００４２】
床面は、歩行者が立ち入り得るので天井面や側壁面よりも困難だが、本明細書に記載の構造をなお、床面に設置できる。例えば、設置構造の材料、サイズ、寸法などを、これらの設置構造を有する床が歩行可能で頑丈であり続けるように予め選択することが可能である。
【００４３】
多くの劇場において、歩行面によって表示スクリーンへと近づくことができ、それゆえ、表示スクリーン付近のエリア上を歩行できるようになっている。このタイプの劇場では、表示スクリーン付近のエリアを黒いカーペットで覆い得る。表示スクリーン正面に歩行の禁止されたエリアがある（通常、人々がスクリーンに触るのを防ぐために）ような他の劇場においては、このエリアを、本明細書に記載の構造を有する光吸収パネルで覆うまたは装備することができる。さらに、表示スクリーンに面し、かつ観客への立体角以外の比較的大きな立体角を張る（スクリーンの視点から見て）劇場中の任意のエリアもまた、本明細書に記載の構造で構成できる。いくつかの状況において、床は表示スクリーンに近い反射性表面の三分の一を占めることがある。画像の描画の目的で初めて観客に向けられたのではない表示スクリーンからの反射光を低減／吸収するための技術を、天井と壁だけではなく床にも適用することにより、表示スクリーンの最大コントラスト比を改善することができる。
【００４４】
５．実施形態例
ある実施形態において、その前面またはその付近（例えば、前壁１１６またはその付近など）に位置する表示スクリーン（例えば、１０４など）に画像が投影される劇場（例えば、図１Ａから図１Ｄまでのいずれかなど）のための、光吸収構成（例えば、図１Ｃ、図１Ｄなど）は、劇場の天井（例えば、１１０など）、側壁（例えば、１０８など）、または床（例えば、１１２など）のうち１以上における、１つ以上の前部（例えば、図１Ｃの１１８および１２０、図１Ｄの１２２など）に配備された光吸収構造（例えば、図２、図３Ａ、図４Ａなど）を含む。光吸収構造は、表示スクリーンから直接反射される光線の一部を受け取るように構成された第１のタイプの光反射面（例えば、２０２、３０２、４０２など）と前記第１のタイプの光反射面から反射される光線を受け取るように構成された第２のタイプの光反射面（例えば、２０２、３０４、４０４など）とにより、少なくとも部分的に形成される溝（例えば、２１２、３１２、４１２など）を含む。
【００４５】
ある実施形態において、光吸収構造は剛性である。
【００４６】
ある実施形態において、第１のタイプの光反射面は第２のタイプの光反射面と１つ以上の鋭角を成す。
【００４７】
ある実施形態において、第１のタイプの光反射面と第２のタイプの光反射面とが形成する溝群中のある溝は、溝中において２回以上の内部反射で、第１のタイプの光反射面で受け取った入射光をトラップするように構成される。
【００４８】
ある実施形態において、第１のタイプの光反射面と第２のタイプの光反射面とが形成する溝群中のある溝の深さは、溝の幅に比例する。
【００４９】
ある実施形態において、第１のタイプの光反射面または第２のタイプの光反射面のうち少なくとも１つは、３０％、２０％、１０％、または５％のうち１つを下回る光反射率の値を有する。
【００５０】
ある実施形態において、第１のタイプの光反射面または第２のタイプの光反射面のうち少なくとも１つは、光沢のある黒い塗料で覆われている。
【００５１】
ある実施形態において、第１のタイプの光反射面または第２のタイプの光反射面のうち少なくとも１つは、鏡面反射性である。
【００５２】
ある実施形態において、第１のタイプの光反射面は表示スクリーンと平行である。ある実施形態において、第１のタイプの光反射面は表示スクリーンと１つ以上の鋭角を成す。
【００５３】
ある実施形態において、光吸収構造は、劇場の前面、後面、天井、側壁、または床のうち１以上における、１つ以上の他の部分に配備される。
【００５４】
ある実施形態において、表示スクリーン上へと投影される画像はハイダイナミックレンジ画像である。
【００５５】
ある実施形態において、劇場は、実質的に閉じた内部空間を備える。
【００５６】
ある実施形態において、第１のタイプの光反射面は鉛直であり、かつ、第２のタイプの光反射面は、溝中において２回以上の内部反射で、第１のタイプの光反射面で受け取った入射光をトラップするように構成されている。
【００５７】
６．均等物、拡張物、代替物、その他
上記明細書中において、態様によって変わり得る多数の具体的な詳細を参照しながら、本発明の実施形態例を説明した。したがって、本発明が如何なるものかおよび出願人は本発明が如何なるものであると意図しているかについての唯一且つ排他的な指標は、後の修正を含む、これら請求項が生じる具体的な形態の、本願から生じる１組の請求項である。よって、請求項に明示的に記載されていない限定事項、構成要素、特性、特徴、利点または属性は、いかなる意味においても請求の範囲を限定するものではない。したがって、明細書および図面は、限定的ではなく例示的なものであると認識されるべきものである。
【図１Ａ】
2017532075.tif 000003
【図１Ｂ】
2017532075.tif 000004
【図１Ｃ】
2017532075.tif 000005
【図１Ｄ】
2017532075.tif 000006
【図２】
2017532075.tif 000007
【図３Ａ】
2017532075.tif 000008
【図３Ｂ】
2017532075.tif 000009
【図４Ａ】
2017532075.tif 000010
【図４Ｂ】
2017532075.tif 000011
【国際調査報告】
2017532075.tif 000012
2017532075.tif 000013
2017532075.tif 000014